(57)【特許請求の範囲】
【請求項１】
複数枚のカードを積層状態で収納し、収納した順に１枚ずつ排出するカード排出口が設けられたカード収納ケースと、このカード収納ケースを着脱自在に装填する装填部とを備えたカード収納ケースの装填構造において、前記カード収納ケースに、前記カード排出口を開閉自在とするシャッタとこのシャッタを開閉させる作動部材とを設け、前記シャッタをカード排出方向と直交する面内に回動自在に支持し、前記装填部に、前記カード収納ケースを装填することにより前記作動部材に係合し作動部材を作動させる係合部を設けたことを特徴とするカード収納ケースの装填構造。
【請求項２】
請求項１記載のカード収納ケースの装填構造において、前記作動部材を板ばねによって形成し、この作動部材を前記カード排出口の幅方向に移動自在に支持するとともに、この作動部材の一端部にカード収納ケースの外側に突出し前記係合部に係合する折り返し部を設けたことを特徴とするカード収納ケースの装填構造。
【請求項３】
請求項２記載のカード収納ケースの装填構造において、前記作動部材の折り返し部の角部の剛性を先端部の剛性よりも小さく形成したことを特徴とするカード収納ケースの装填構造。
【請求項４】
請求項２または３記載のカード収納ケースの装填構造において、前記カード収納ケースに、前記折り返し部の角部を覆う被覆部を設けたことを特徴とするカード収納ケースの装填構造。
【請求項５】
請求項１ないし４のいずれか記載のカード収納ケースの装填構造において、前記シャッタおよび前記作動部材を、カード収納ケースを形成する前板と前記カード排出口を形成するゲージ部材との間に収納したことを特徴とするカード収納ケースの装填構造。
【発明の詳細な説明】
【０００１】
【発明の属する技術分野】
本発明は、テレホンカード等の各種のカードを積層状態で収納し、収納した順に１枚ずつ排出するカード排出口を有するカード収納ケースの装填構造に関する。
【０００２】
【従来の技術】
一般に、この種のカード収納ケースの装填構造におけるカード収納ケースは、名刺大の箱状のケース本体と、このケース本体の上方の開口を開閉する蓋とからなり、ケース本体の前板の裏面には、カード排出口が設けられたゲージ板が固定されている。このカード収納ケース内に新しいカードを収納した後、送出ローラが設けられた装置の装填部に装填することにより、送出ローラによって積載されたカードの最下層のカードが、１枚ずつカード排出口から排出される。
【０００３】
このようなカード収納ケースにおいては、新しいカードがカード収納ケース内に収納された後、装置の装填部に装填するに至るまでカード収納ケースを移動している間に、誤ってカード排出口からカードを脱落させてしまい、カードが紛失したり、カードが汚損して使用できなくなるという問題があった。また、カード収納ケース内に供給された新しいカードのうち、一番先に収納されたカードより上のカードの先端部が誤ってカード排出口に入り込み、そのままの状態で、カード収納ケースを装填部に装填してしまう場合がある。この場合には、一番先に収納されたカードが送出ローラによって送り出されたときに、カード排出口において上のカードの下に一番先に収納されたカードが喰い込むことによってくさび状のカード詰まりが発生する。このようにくさび状のカード詰まりが発生すると、送出ローラの回転方向を連続的に複数回正逆方向に切り替えてカード詰まりを除去するいわゆるリトライの救済措置を行っても、カード詰まりが除去できないという問題もあった。
【０００４】
このため、この種のカードケースにおいては、カード収納ケース内に新しいカードを供給しているときや、カード供給後、装置の装填部に装填するまでに至る間だけ、カード排出口を閉じるシャッタが設けられている。このシャッタは、カード収納ケースを装置の装填部に装填することにより、カード排出口を開放し、カード排出口からカードが１枚ずつ排出できるように構成されている。
【０００５】
【発明が解決しようとする課題】
しかしながら、上述した従来のカード収納ケースの装填構造においては、カード排出口を開閉するシャッタがカードを排出する方向と同じ方向に回動自在に支持され、付勢手段によってシャッタを、カードがカード排出口に入り込むのを規制する方向に付勢した構造になっている。したがって、カードの排出を付勢手段の付勢力によって規制をしているものの、カード収納ケース内にカードを供給する際に、誤って付勢力に抗してカードでシャッタを押圧すると、シャッタが回動してしまい、カードがカード排出口に入り込むおそれがあった。また、シャッタがカード収納ケースの外側に露呈しているため、破損のおそれがあったり、故意または不用意にシャッタを開くことができ、この場合にも、カードがカード排出口に入り込んでしまうことがあった。
【０００６】
本発明は上記した従来の問題に鑑みなされたものであり、第１の目的は、誤ってカード排出口からカードが脱落するのを防止することにある。第２の目的はカード詰まりを防止することにある。
【０００７】
【課題を解決するための手段】
この目的を達成するために、請求項１に係る発明は、複数枚のカードを積層状態で収納し、収納した順に１枚ずつ排出するカード排出口が設けられたカード収納ケースと、このカード収納ケースを着脱自在に装填する装填部とを備えたカード収納ケースの装填構造において、前記カード収納ケースに、前記カード排出口を開閉自在とするシャッタとこのシャッタを開閉させる作動部材とを設け、前記シャッタをカード排出方向と直交する面内に回動自在に支持し、前記装填部に、前記カード収納ケースを装填することにより前記作動部材に係合し作動部材を作動させる係合部を設けたものである。
したがって、シャッタの回動方向とカードの排出方向が直交している。
【０００８】
また、請求項２に係る発明は、請求項１に係る発明において、前記作動部材を板ばねによって形成し、この作動部材を前記カード排出口の幅方向に移動自在に支持するとともに、この作動部材の一端部にカード収納ケースの外側に突出し前記係合部に係合する折り返し部を設けたものである。
したがって、カード収納ケースを装填部に装填することにより、作動部材の折り返し部が係合部に係合し、折り返し部が弾性変形するので、作動部材がカードの幅方向に移動し、シャッタが回動する。
【０００９】
また、請求項３に係る発明は、請求項２に係る発明において、前記作動部材の折り返し部の角部の剛性を先端部の剛性よりも小さく形成したものである。
したがって、折り返し部の先端部が係合部に係合することにより、角部が弾性変形し、作動部材が移動する。
【００１０】
また、請求項４に係る発明は、請求項２または３に係る発明において、前記カード収納ケースに、前記折り返し部の角部を覆う被覆部を設けたものである。
したがって、手によって意図的にまたは不用意に折り返し部の角部が押し込まれることがない。
【００１１】
また、請求項５に係る発明は、請求項１ないし４のいずれかに係る発明において、前記シャッタおよび前記作動部材を、カード収納ケースを形成する前板と前記カード排出口を形成するゲージ部材との間に収納したものである。
したがって、シャッタおよび前記作動部材がカード収納ケースの外側とカード収納部側に露呈することがない。
【００１２】
【発明の実施の形態】
以下、本発明の実施の形態を図を用いて説明する。図１は本発明に係るカード収納ケースの装填構造を分解して示す斜視図、図２は同じくカード収納ケースを分解して示す斜視図である。図３は同じくカード収納ケースを装填部に装填する前の状態を示し、同図（ａ）は一部を破断して示す平面図、同図（ｂ）は正面図である。図４は同じくカード収納ケースを装填部に装填した状態を示し、同図（ａ）は一部を破断して示す平面図、同図（ｂ）は正面図である。図５は本発明に係るカード収納ケースが収容されるカード発行機の全体の外観を示す斜視図である。図６は図５におけるVI-VI 線断面図である。
【００１３】
図１において、全体を符号１で示すものはカード送出装置であって、カード収納ケース２と、このカード収納ケース２が装填される装填部３と、図２に示すように、カード排出口４１が設けられたゲージ板４と、カード排出口４１を開閉する一対のシャッタ５，５と、これらシャッタ５，５を回動させる作動部材６とから概略構成されている。カード収納ケース２は、上方が開口した箱状のケース本体１１と、このケース本体１１の開口を開閉自在とするように枢軸１３を介して開閉自在に枢着された蓋１２とによって構成されている。
【００１４】
図２に示すように、ケース本体１１の前板１５の下部側には、前板１５の幅方向に延在する細長い長方形の開口１６が設けられ、この開口１６の上方側には、ねじ１８，１８を挿通する一対の挿通孔１７，１７が形成され、左端には矢印Ｂ方向に折り曲げられるように一体形成された被覆部１９が設けられている。前板１５の両側部には係入突起２０，２０（一方の係入突起２０は図示せず）が水平方向に向かって突設され、両側板には図中矢印Ａ−Ｂで示す前後方向に延在するガイド凸条２１，２１が突設され、底板の前部側には、左右一対の長方形の窓２２，２２が穿設されている。
【００１５】
装填部３は、底板３０と、互いに対向する左右の両側板３１ａ，３１ｂと、後板３２とによって上方と前方とが開口した箱状に形成され、両側板３１ａ，３１ｂ間の間隔が、上述したケース本体１１の幅よりもわずかに大きく形成されている。底板３０の前部側には左右一対の窓３３，３３が穿設され、これら窓３３，３３には送出ローラ３４，３４が上端部を露呈させて回転自在に支持され、これら送出ローラ３４，３４はモータ３５を駆動源として正逆方向に回転駆動されるように構成されている。
【００１６】
両側板３１ａ，３１ｂの相対向する面の下部には、前後方向に延在するガイド壁３６，３６が突設され、これらガイド壁３６，３６の上面には、前記ケース本体１１のガイド凸条２１，２１をガイドするガイド面３６ａ，３６ａが形成されている。また、ガイド壁３６，３６の前端部には、前記ケース本体１１の係入突起２０，２０が係入される前端が開口した係入溝３６ｂ，３６ｂが設けられている。これら左右の係入溝３６ｂ，３６ｂのうち、左方の係入溝３６ｂの上方には係合部３７が設けられている。
【００１７】
図２に示すように、ゲージ板４は扁平な細長い直方体に形成され、下部側には左右方向に延在するカード排出口４１が設けられ、このカード排出口４１の両側には、一対のスリット状のゲージ部４２，４２が設けられ、このゲージ部４２，４２の高さ方向の寸法は、カードの１枚分の厚みよりも大きく、かつカードの２枚分の厚みよりも小さく形成されている。このゲージ部４２，４２の上部には一対のねじ孔４３，４３が設けられている。カード排出口４１の上方には、左右方向に延在する細長い略長方形の収納凹部４４が設けられ、この収納凹部４４の左右には、下方に向かってカード排出口４１まで延設された延設部４４ａ，４４ａが設けられている。また、この収納凹部４４の図中左端側は切欠き４５に連設され、収納凹部４４の中央および右端側の底部には、一対の小軸４６，４６が突設されている。
【００１８】
シャッタ５は円弧状に湾曲形成され、上端部に軸孔５１が設けられ、この軸孔５１の上方には突起５２が突設されている。作動部材６は全体が板ばねによって細長い長方形に形成され、中央部および右端部の上面に平面視コ字状の係入部６１，６１が立設され、左端部に折り返し部６２が湾曲形成されている。この折り返し部６２の先端部６２ａは直線状に形成され、この先端部６２ａに対して角部６２ｂは幅および厚みにおいて小さく形成され、換言すれば先端部６２ａの剛性に対して角部６２ｂの剛性が小さく形成されている。
【００１９】
このような構成において、シャッタ５，５をゲージ板４の収納凹部４４および延設部４４ａ，４４ａに収納するようにして、シャッタ５，５の軸孔５１，５１を小軸４６，４６に係入し、シャッタ５，５を小軸４６，４６に回動自在に支持する。作動部材６の係入部６１，６１をシャッタ５，５の突起５２，５２に係入するようにして、作動部材６を収納凹部４４に収納することにより、折り返し部６２が切欠き４５から図中左方に突出する。
【００２０】
この状態としてから、ゲージ板４をケース本体１１の前板１５の内面に対接させ、挿通孔１７，１７に挿通したねじ１８，１８をゲージ板４のねじ孔４３，４３に螺合し、ゲージ板４を前板１５に固定することにより、作動部材６が収納凹部４４内を矢印Ｃ−Ｄ方向に移動可能に支持される。このとき、図３（ａ）に示すように、被覆部１９が作動部材６の折り返し部６２の角部６２ｂを覆っている。
【００２１】
また、同図（ｂ）に示すように、シャッタ５，５は作動部材６の付勢力によって下方に垂下し、カード排出口４１を閉じている。したがって、この状態で、カード収納ケース２のケース本体１１内に新しいカードを供給しても、カード排出口４１からカードが誤って排出されるようなことがない。しかも、シャッタ５，５がカード排出方向である矢印Ａ方向と直交する方向である矢印Ｃ−Ｄ方向に回動自在に支持されていることにより、仮に、ケース本体１１内に収納されたカードに矢印Ａ方向の大きな力が加わったとしても、シャッタ５，５が回動することがない。このため、誤ってカード排出口４１からカードが脱落するのを確実に防止することができるだけでなく、くさび状態のカード詰まりも防止することができる。
【００２２】
ケース本体１１内にカードを収納したら、図１に示すように、蓋１２によってケース本体１１の上方の開口を閉じ、カード収納ケース２の後部側から装填部３内にカード収納ケース２を挿入し、カード収納ケース２を矢印Ｂ方向に摺動させる。図３（ａ）に示すように、作動部材６の折り返し部６２の先端が装填部３の係合部３７に当接するので、さらに、カード収納ケース２を矢印Ｂ方向に摺動させると、図４（ａ）に示すように、折り返し部６２が係合部３７に係合する。
【００２３】
折り返し部６２が係合部３７に係合すると、折り返し部６２が弾性変形するので、この弾性変形によって作動部材６が矢印Ｄ方向にわずかに移動し、この作動部材６の係入部６１に係入している突起５２も追従して矢印Ｄ方向に移動する。したがって、シャッタ５，５が小軸４６を回動中心として図４（ｂ）中時計方向に回動するので、カード排出口４１が開放される。
【００２４】
この折り返し部６２が係合部３７に係合するとき、先ず、剛性の大きい先端部６２ａが係合部３７に係合するので、この先端部６２ａと係合部３７との係合によって、剛性の低い角部６２ｂが弾性変形し、作動部材６が矢印Ｄ方向に移動する。このように、剛性の大きい先端部６２ａが係合部３７に係合することで、剛性の低い角部６２ｂを弾性変形させていることにより、角部６２ｂの弾性変形が円滑かつ確実に行われるので、作動部材６の移動が確実になり、シャッタ５の開閉動作も確実に行われる。
【００２５】
また、図３（ａ）に示すように、被覆部１９が作動部材６の折り返し部６２の角部６２ｂを覆っていることにより、故意または不用意に、手によって角部６２ｂを押して弾性変形させることが規制されるので、カード排出口４１が誤って開放されるようなことがない。
【００２６】
また、シャッタ５と作動部材６とをゲージ板４とケース収納ケース２の前板１５との間に収納したことにより、これらが外部に露呈することがないので、シャッタ５を手によって開閉することが規制されるだけでなく、シャッタ５と作動部材６を保持する部材を特別に必要としないので、部品点数が削減される。また、シャッタ５がケース本体１１のカード収納部側に露呈しないので、ケース本体１１内へカードを装填する際に作業の邪魔にならないとともに、シャッタ５が破壊されるようなこともない。さらに、ばね性を有する作動部材６自体の弾性変形を利用して作動部材６を移動させ、シャッタ５を開閉させるようにしたので、部品点数が削減されるだけでなく、構造も簡素化され、かつ矢印Ａ−Ｂ方向の寸法を最小限に小型化することが可能になる。
【００２７】
図５および図６において、全体を符号１０１で示すカード発券機の筺体は、略密閉状態の箱状を呈する本体１０２と、この本体１０２の前面に取り付けられた前面部材１０３とによって構成されている。前面部材１０３は中央の凹嵌部１０４と左右の膨出部１０５，１０５とによって平面視略コ字状に形成され、かつ全体が中空状に形成され、前部には、凹嵌部１０４と膨出部１０５とにまたがり左右に対をなすカード取出口１０６が上下に複数対設けられている。
【００２８】
左右の膨出部１０５，１０５内には、互いに対向する発・受光素子からなるカード検出センサ１０７ａ，１０７ｂが設けられ、これらカード検出センサ１０７ａ，１０７ｂによって、カード取出口１０６から排出されたカード１０８の前端を検出し、上述したモータ３５の駆動を停止する。複数のカード取出口１０６に対応して本体１０２内には、上述したカード送出装置１が複数個設けられ、これらカード送出装置１に対応して本体１０２の前板と前面部材１０３の背面板には、上下方向に延在する一対の開口１０２ａ，１０３ａが設けられている。
【００２９】
したがって、図４（ａ）に示すように、カード収納ケース２を装填部３内に装填することによって、送出ローラ３３の上部がケース本体１１の窓２２，２２からケース本体１１内に臨み、カード送出装置１が形成される。このカード送出装置１をカード発行機１０１内に配置し、モータ３５が駆動することにより、図６に示すように、送出ローラ３３が回転し、カード収納ケース２内に積載されたカード１０８のうち最下層のカードが、ゲージ板４０のカード排出口４１、ケース本体１１の開口１６および開口１０２ａ，１０３ａを通り、カード取出口１０６から排出される。
【００３０】
カード発行機１０１を、図５の状態から９０°回動させた状態、すなわち立設した状態から横に倒した状態としてもよく、また天地を逆にして使用してもよい。
【００３１】
【発明の効果】
以上説明したように、請求項１に係る発明によれば、シャッタがカードの排出方向に移動しないので、誤ってシャッタが開くことがない。
【００３２】
また、請求項２に係る発明によれば、作動部材を回動させる軸やねじりコイルばねが不要になるので、部品点数が削減されるだけでなく、構造も簡素化され、かつカード挿入方向の寸法を最小限に小型化することが可能になる。
【００３３】
また、請求項３に係る発明によれば、折り返し部の先端部が係合に係合することにより、角部が弾性変形し作動部材が移動するので、確実にシャッタを閉じることができる。
【００３４】
また、請求項４に係る発明によれば、手によって意図的または不用意にシャッタを回動させることがないので、カード排出口からカードが脱落するのを防止できるだけでなく、くさび状態のカード詰まりも防止できる。
【００３５】
また、請求項５に係る発明によれば、シャッタを手によって開閉することが規制されるだけでなく、シャッタと作動部材を保持する部材を特別に必要としないので、部品点数が削減される。また、シャッタがケース本体のカード収納部側に露呈しないので、ケース本体内へカードを装填する際に作業の邪魔にならないとともに、シャッタが破壊されるようのこともない。
【図面の簡単な説明】
【図１】  本発明に係るカード収納ケースの装填構造を分解して示す斜視図である。
【図２】  本発明に係るカード収納ケースの装填構造において、カード収納ケースを分解して示す斜視図である。
【図３】  本発明に係るカード収納ケースの装填構造において、カード収納ケースを装填部に装填する前の状態を示し、同図（ａ）は一部を破断して示す平面図、同図（ｂ）は正面図である。
【図４】  本発明に係るカード収納ケースの装填構造において、カード収納ケースを装填部に装填した状態を示し、同図（ａ）は一部を破断して示す平面図、同図（ｂ）は正面図である。
【図５】  本発明に係るカード収納ケースが収容されるカード発行機の全体の外観を示す斜視図である。
【図６】  図５におけるVI-VI 線断面図である。
【符号の説明】
１…カード送出装置、２…カード収納ケース、３…装填部、４…ゲージ板、５…シャッタ、６…作動部材、１１…ケース本体、１５…前板、１９…被覆部、３７…係合部、４１…カード排出口、４４…収納凹部、５２…突起、６１…係入部、６２…折り返し部、６２ａ…先端部、６２ｂ…角部、１０１…カード発行機、１０８…カード。
【図１】
0003915413.tif 000002
【図２】
0003915413.tif 000003
【図３】
0003915413.tif 000004
【図４】
0003915413.tif 000005
【図５】
0003915413.tif 000006
【図６】
0003915413.tif 000007